(57)【要約】【課題】  ナースコール子機と廊下灯とを接続する通信線に伝わっているノイズパルスをナースコールシステムの管理者などが正確に把握することができるようにすることを目的とする。【解決手段】  点検モードにおいてナースコール子機１０を制御する子機用制御部１１は、第一の通信信号が通信線５０に出力されないようにしている。また、ナースコール親機４０を制御する親機用制御部４１は、第三の通信信号が通信線５０に出力されないようにしている。このときに、検知部３６は、廊下灯用受信部３３が通信線５０を介して受信した第二の通信信号であるパルスを検知している。検知部３６が第二の通信信号であるパルスを検知した場合に、廊下灯用制御部３１は、通信線５０にノイズが伝わっていると判断している。【選択図】        図１
2009088725.tif 000002
【特許請求の範囲】
【請求項１】
患者が使用するナースコール子機と、デジタル通信を行うための通信線を介して前記ナースコール子機に接続されており、前記患者から医療従事者への呼び出し若しくは前記医療従事者から前記患者への呼び出しを行うため、または、前記医療従事者と前記患者との間で通話を行うための外部装置とを有するナースコールシステムであって、
前記ナースコール子機は、
前記患者により呼出操作が行われた場合、または、前記患者が前記医療従事者と通話している場合に、第一の通信信号を生成する子機用通信信号生成部と、
前記子機用通信信号生成部にて生成した前記第一の通信信号を前記通信線を介して前記外部装置へ送信する子機用送信部と、
前記通信線の点検を開始することを示す点検開始信号、および、前記通信線の点検を終了したことを示す点検終了信号を受信する子機用受信部と、
前記子機用受信部が前記点検開始信号を受信したか否かを判定するとともに、前記子機用受信部が前記点検終了信号を受信したか否かを判定する判定部と、
前記子機用受信部が前記点検開始信号を受信したと前記判定部にて判断した場合には、前記子機用通信信号生成部および前記子機用送信部の少なくとも一方を制御して前記第一の通信信号が前記通信線に出力されないようにするとともに、前記子機用受信部が前記点検終了信号を受信したと前記判定部にて判断した場合には、前記第一の通信信号が前記通信線に出力されないように制御されている前記子機用通信信号生成部および／または前記子機用送信部を制御して前記第一の通信信号が前記通信線に出力されるようにする子機用制御部とを具備し、
前記外部装置は、
前記通信線の点検を開始するときに操作される点検開始操作部と、
前記通信線の点検を終了したときに操作される点検終了操作部と、
前記通信線を介して第二の通信信号を受信する外部装置用受信部と、
前記外部装置用受信部にて受信した前記第二の通信信号であるパルスを検知する検知部と、
前記医療従事者により呼出操作が行われた場合、または、前記医療従事者が前記患者と通話している場合に、第三の通信信号を生成する外部装置用通信信号生成部と、
前記外部装置用通信信号生成部にて生成した前記第三の通信信号を前記通信線を介して前記ナースコール子機へ送信する外部装置用送信部と、
前記点検開始操作部が操作された場合に、前記点検開始信号を生成して前記ナースコール子機へ前記通信線を介して送信するとともに、前記第三の通信信号が前記通信線に出力されないように前記外部装置用通信信号生成部または前記外部装置用送信部の少なくとも一方を制御して前記検知部が前記パルスを検知したか否かを示す検知結果情報を出力し、前記点検終了操作部が操作された場合に、前記点検終了信号を生成して前記ナースコール子機へ前記通信線を介して送信するとともに、前記第三の通信信号が前記通信線に出力されないように制御されている前記外部装置用通信信号生成部および／または前記外部装置用送信部を制御して前記第三の通信信号が前記通信線に出力されるようにする外部装置用制御部と、
を具備することを特徴とするナースコールシステム。
【発明の詳細な説明】
【技術分野】
【０００１】
本発明は、病院などで患者からの要求に応じて医師や看護師などの医療従事者を呼び出すナースコールシステムに関する。
【背景技術】
【０００２】
従来、ナースコールシステムでは、病室内の患者の近辺（例えば、ベッド近傍など）に設置されたナースコール子機および医療従事者のいる部屋（例えば、スタッフルームなど）に設置されたナースコール親機を有線などにより接続している。
【０００３】
また、ナースコール子機とナースコール親機とは、各病室の入口付近に設置されている廊下灯を介して接続されている。廊下灯は、各病室の入口付近に設置され、ベッドサイドの壁面に設置されているウォールユニットを介して複数のナースコール子機を接続している。ウォールユニットは、通話機能付きハンド形子機や握り押しボタン式子機などのナースコール子機を接続するためのコンセントを備えている。ナースコール子機およびナースコール親機をデジタル通信するための通信線で接続したナースコールシステムでは、廊下灯とウォールユニットとの間は、通信信号をデジタル通信するための通信線により配線されている。ここで、通信信号は、ナースコール子機がナースコール親機により医療従事者を呼び出すための呼出信号、または、ナースコール子機とナースコール親機との間で患者と医療従事者とが通話するための通話信号を示す。また、デジタル通信とは、通信信号を「１」または「０」の符号にして伝送するものである。「１」または「０」の符号は、電気信号のパルスの形で送信される。また、ナースコール子機とナースコール親機との間でデジタル通信を行うことで、送信元の機器は、通信信号をそのまま伝送するアナログ通信に比べて、劣化させることなく通信信号を送信先の機器へ送信することができる。
【０００４】
このようなナースコールシステムにおいて、廊下灯とウォールユニットと間の通信線の近くにＡＣ１００Ｖなどの電源線が配線されている場合、その電源線により発生したノイズパルスが廊下灯とウォールユニットとの間の通信線に伝わることがあった。通信線にノイズパルスが伝わると、通信線がノイズパルスの影響を受けてしまい、通信信号のパルスの振幅が大きく乱れてしまうことがあった。通信信号のパルスの振幅が大きく乱れてしまうとパルスの形が本来の通信信号のパルスの形と異なるものとなってしまい、廊下灯とウォールユニットとの間に通信障害（具体的には、呼出信号がウォールユニットから廊下灯へ送信されずに患者が医療従事者を呼び出すことができない、または、通話信号がウォールユニットと廊下灯との間で通信されずに患者と医療従事者とが通話することができないなどの現象）が生じていた。このことから、ナースコールシステムの信頼性を高めるためにナースコールシステムの管理者などは、ノイズパルスが廊下灯とウォールユニットとの間の通信線に伝わっているか否かを定期的に点検する必要があった。
【０００５】
ところで、無線タグから信号を受信する受信アンテナによりノイズパルスを検知する機能を備えた画像形成装置が知られている（例えば、特許文献１を参照）。特許文献１に記載の画像形成装置では、受信アンテナにより受信した外来ノイズに含まれるノイズパルスをカウントすることで、画像形成装置の近辺のノイズレベルを検知している。これにより、画像形成装置の管理者などは、画像形成装置の近辺に外来ノイズが発生しているか否かを確認することができる。
【特許文献１】特開２００６−３３７４号公報
【０００６】
しかしながら、特許文献１に記載の画像形成装置のノイズパルスの検知方法をナースコールシステムに適用した場合、特許文献１に記載の画像形成装置は、画像形成装置の近辺に散乱している電波を受信アンテナにより受信しているので、廊下灯とナースコール子機とを通信線のような有線で接続した場合に通信線に伝わっているノイズパルスを検知することができなかった。このことから、廊下灯とナースコール子機とを接続する通信線に伝わっているノイズパルスを正確に検知することができないという問題があった。
【発明の開示】
【発明が解決しようとする課題】
【０００７】
本発明は、このような問題を解決するために成されたものであり、ナースコール子機と廊下灯とを接続する通信線に伝わっているノイズパルスをナースコールシステムの管理者などが正確に把握することができるようにすることを目的とする。
【課題を解決するための手段】
【０００８】
上述した課題を解決するために、本発明では、点検開始操作部が操作されると、ナースコール子機を制御する子機用制御部および廊下灯を含む外部装置を制御する外部装置用制御部は、第一の通信信号および第三の通信信号が通信線に出力されないようにしている。このときに、検知部は、外部装置用受信部が通信線を介して受信した第二の通信信号であるパルスを検知し、外部装置用制御部は、検知結果を示す情報を出力するようにしている。
【発明の効果】
【０００９】
上記のように構成した本発明によれば、ナースコール子機および廊下灯から第一の通信信号および第三の通信信号が出力されていない状態で、通信線を介して受信した第二の通信信号であるパルスを検知した場合に、その信号がノイズと見なされる。これにより、通信線を介して受信できないような信号は、通信線に影響を与えないものと判定され、通信線を介して受信した第二の通信信号は、通信線に影響を与えるものと判定される。従って、ナースコールシステムの管理者などは、ナースコール子機と廊下灯とを接続する通信線に伝わっているノイズパルスを正確に把握することができる。
【発明を実施するための最良の形態】
【００１０】
以下、本発明の一実施形態を図面に基づいて説明する。本実施形態によるナースコールシステムのブロック図を図１に示す。同図に示すように、本実施形態によるナースコールシステムは、ナースコール子機１０、外部装置２０を備えて構成されている。また、外部装置２０は、廊下灯３０、ナースコール親機４０を備えて構成されている。
【００１１】
また、ナースコール子機１０は、子機用制御部１１、子機用呼出信号生成部１２（特許請求の範囲の子機用通信信号生成部に該当する）、子機用通話信号生成部１３（特許請求の範囲の子機用通信信号生成部に該当する）、子機用送信部１４、子機用受信部１５、子機用インタフェース（以下、Ｉ／Ｆとする）部１６、子機用判定部１７（特許請求の範囲の判定部に該当する）を備えている。また、廊下灯３０は、廊下灯用制御部３１（特許請求の範囲の外部装置用制御部に該当する）、廊下灯用インタフェース（以下、Ｉ／Ｆとする）部３２、廊下灯用受信部３３（特許請求の範囲の外部装置用受信部に該当する）、廊下灯用送信部３４、点検開始操作部３５、検知部３６、点検終了操作部３７、表示部３８を備えている。また、ナースコール親機４０は、親機用制御部４１（特許請求の範囲の外部装置用制御部に該当する）、親機用インタフェース（以下、Ｉ／Ｆとする）部４２、親機用受信部４３、親機用呼出信号生成部４４（特許請求の範囲の外部装置用通信信号生成部に該当する）、親機用通話信号生成部４５（特許請求の範囲の外部装置用通信信号生成部に該当する）、親機用送信部４６（特許請求の範囲の外部装置用送信部に該当する）、親機用判定部４７を備えている。
【００１２】
図１において、ナースコール子機１０は、病室内の患者の近辺（例えば、ベッド近傍など）に設置されており、通信線５０を介して廊下灯３０に接続されている。また、廊下灯３０は、各病室の入口付近に設置され、病室内の病床を利用する患者の氏名を表示するものであり、ナースコール子機１０とナースコール親機４０との間に設置されている。ここで、廊下灯３０には、複数のナースコール子機１０が接続されている。また、ナースコール親機４０は、医療従事者の居る部屋（例えば、スタッフルームなど）に設置されており、患者からの呼び出しに応答するためのものである。ここで、ナースコール親機４０には、複数の廊下灯３０が接続されている。
【００１３】
また、本実施形態のナースコールシステムは、運用形態を切り替えることができるようになっている。この運用形態は、通常モードと点検モードとの２種類の動作モードから構成されている。また、通常モードから点検モードへ動作モードを切り替える操作、および、点検モードから通常モードへ動作モードを切り替える操作は、廊下灯３０からの操作により行われる。また、ナースコール子機１０の動作モードおよびナースコール親機４０の動作モードは、ナースコール子機１０に接続されている廊下灯３０から送信される点検開始信号または点検終了信号により切り替えられる。具体的には、点検開始信号を一度も受信していない場合、ナースコール子機１０およびナースコール親機４０は、初期状態として、動作モードを通常モードとしている。また、通常モードである場合に点検開始信号を受信すると、ナースコール子機１０およびナースコール親機４０は、通常モードから点検モードへ動作モードを切り替える。また、点検モードである場合に点検終了信号を受信すると、ナースコール子機１０およびナースコール親機４０は、点検モードから通常モードへ動作モードを切り替える。ここで、通常モードとは、患者から医療従事者への呼び出し若しくは医療従事者から患者への呼び出しを行う場合、または、医療従事者と患者との間で通話を行う場合に動作するものである。また、点検モードとは、ナースコール子機１０と廊下灯３０とを接続している通信線５０に伝わっているノイズの有無を点検する場合に動作するものである。
【００１４】
子機用制御部１１は、ナースコール子機１０の各構成要素を後述するように制御する。子機用呼出信号生成部１２は、患者が図示しない子機用呼出操作部を操作した場合に、医療従事者を呼び出すための呼出信号を生成する。この呼出信号がナースコール親機４０に送信されて、ナースコール親機４０により応答の操作が行われると、ナースコール子機１０とナースコール親機４０との間で通話路が形成される。子機用通話信号生成部１３は、ナースコール子機１０とナースコール親機４０との間で通話路が形成された場合に、患者が医療従事者と通話するための通話信号を生成する。ここで、子機用通話信号生成部１３は、図示しないマイクなどにより入力された音声を変換することにより通話信号を生成している。これにより、マイクから入力された患者の声は、子機用通話信号生成部１３により通話信号に変換される。
【００１５】
一方、ナースコール子機１０がナースコール親機４０から呼出信号を受信した場合には、子機用制御部１１は、図示しないスピーカから予報音を出力する。そして、ナースコール親機４０によりナースコール親機４０とナースコール子機１０との間で通話路が形成されると、子機用制御部１１は、受信した通話信号に基づく音声をスピーカから出力する。一般的にナースコールシステムでは、ナースコール子機１０側にてナースコール親機４０から呼び出しに応答する操作を行うことなく、通話路が形成される。
【００１６】
子機用送信部１４は、子機用呼出信号生成部１２にて生成した呼出信号および子機用通話信号生成部１３にて生成した通話信号（以下、ナースコール子機１０からナースコール親機４０へ送信する呼出信号と通話信号とを纏めて第一の通信信号とも記載する）を通信線５０および廊下灯３０を介してナースコール親機４０へ送信する。子機用受信部１５は、廊下灯３０および通信線５０を介してナースコール親機４０から送信された呼出信号および通話信号を受信するとともに、廊下灯３０から送信された点検開始信号および点検終了信号を受信する。なお、ナースコール親機４０から送信された呼出信号および通話信号、廊下灯３０から送信された点検開始信号および点検終了信号については、後で詳しく説明する。
【００１７】
子機用Ｉ／Ｆ部１６は、ナースコール子機１０が廊下灯３０との間で通信するために、廊下灯用Ｉ／Ｆ部３２に接続されている。子機用判定部１７は、廊下灯３０から送信された点検開始信号を子機用受信部１５が受信したか否かを判定するとともに、廊下灯３０から送信された点検終了信号を子機用受信部１５が受信したか否かを判定するものである。ここで、点検開始信号とは、通信線５０の点検を開始することを示すものである。また、点検終了信号とは、通信線５０の点検を終了したことを示すものである。また、点検開始信号および点検終了信号には、ナースコール子機１０を識別するための子機番号などが含まれている。
【００１８】
ナースコール子機１０の動作モードが通常モードとなっている状態において、患者により呼び出しの操作が行われた場合、子機用送信部１４は、子機用呼出信号生成部１２にて生成した呼出信号を通信線５０および廊下灯３０を介してナースコール親機４０へ送信している。また、ナースコール子機１０とナースコール親機４０との間で通話路が形成されている場合、子機用送信部１４は、子機用通話信号生成部１３にて生成した通話信号を通信線５０および廊下灯３０を介してナースコール親機４０へ送信している。このように、第一の通信信号が通信線５０に伝送可能となっている状態で、点検開始操作部３５が操作されて廊下灯３０から送信された点検開始信号を子機用受信部１５が受信したと子機用判定部１７にて判断した場合には、子機用制御部１１は、通常モードから点検モードにナースコール子機１０の動作モードを切り替える。それに併せて、子機用制御部１１は、子機用呼出信号生成部１２および子機用通話信号生成部１３の動作を停止して、第一の通信信号が外部に送信されないようにする。これにより、第一の通信信号は、通信線５０に出力されなくなる。
【００１９】
なお、ナースコール子機１０の動作モードが通常モードとなっている状態で、点検終了操作部３７が操作されて廊下灯３０から送信された点検終了信号を子機用受信部１５が受信したと子機用判定部１７にて判断した場合には、子機用制御部１１は、ナースコール子機１０の動作モードを通常モードのままとする。
【００２０】
一方、ナースコール子機１０の動作モードが点検モードとなっていて、第一の通信信号が通信線５０に出力されてない状態において、点検終了操作部３７が操作されて廊下灯３０から送信された点検終了信号を子機用受信部１５が受信したと子機用判定部１７にて判断した場合には、子機用制御部１１は、点検モードから通常モードにナースコール子機１０の動作モードを切り替える。それに併せて、子機用制御部１１は、子機用呼出信号生成部１２および子機用通信信号生成部１３の動作の停止を解除して、第一の通信信号が外部に送信されるようにする。これにより、第一の通信信号は、通信線５０に出力されるようになる。
【００２１】
なお、ナースコール子機１０の動作モードが点検モードとなっている状態で、点検開始操作部３５が操作されて廊下灯３０から送信された点検開始信号を子機用受信部１５が受信したと子機用判定部１７にて判断した場合には、子機用制御部１１は、ナースコール子機１０の動作モードを点検モードのままとする。
【００２２】
廊下灯用制御部３１は、廊下灯３０の各構成要素を後述するように制御する。廊下灯用Ｉ／Ｆ部３２は、廊下灯３０がナースコール子機１０との間で通信するために、子機用Ｉ／Ｆ部１６に接続されている。また、廊下灯用Ｉ／Ｆ部３２は、廊下灯３０がナースコール親機４０との間で通信するために、親機用Ｉ／Ｆ部４２に接続されている。廊下灯用受信部３３は、ナースコール子機１０から通信線５０を介して送信された第一の通信信号を受信するとともに、ナースコール親機４０から送信された呼出信号および通話信号を受信する。また、廊下灯用受信部３３は、通信線５０に伝わっている通信信号を第二の通信信号として受信する。
【００２３】
廊下灯用送信部３４は、廊下灯用受信部３３にて受信した第一の通信信号をナースコール親機４０へ送信する。また、廊下灯用送信部３４は、廊下灯用受信部３３にて受信した呼出信号および通話信号（以下、ナースコール親機４０からナースコール子機１０へ送信する呼出信号と通話信号とを纏めて第三の通信信号とも記載する）をナースコール子機１０へ送信する。また、廊下灯用送信部３４は、廊下灯用制御部３１にて生成した点検開始信号および点検終了信号をナースコール子機１０およびナースコール親機４０へ送信する。
【００２４】
点検開始操作部３５は、通信線５０の点検を開始するときに、点検を実施するナースコールシステムの管理者などにより操作されるものである。検知部３６は、廊下灯用受信部３３が受信した第二の通信信号であるパルスを検知するものである。検知部３６は、検知結果として、パルスを検知したか否かを示す検知結果情報を出力する。点検終了操作部３７は、通信線５０の点検を終了するときに、点検を実施したナースコールシステムの管理者などによって操作されるものである。
【００２５】
表示部３８は、廊下灯３０の表面に表示される表示画面３８０と廊下灯の表面の左右上方に形成される表示ランプ３８１とにより構成されている。廊下灯用制御部３１が廊下灯３０の動作モードを通常モードとしている場合、廊下灯用制御部３１は、廊下灯３０が設置されている病室の患者の氏名を表示画面３８０に表示する。また、廊下灯用制御部３１は、廊下灯３０が設置されている病室の患者からの呼び出しに対して、表示ランプ３８１を点灯または点滅させる。一方、廊下灯用制御部３１が廊下灯３０の動作モードを点検モードとしている場合、廊下灯用制御部３１は、検知部３６が出力した検知結果情報を入力し、その検知結果情報に応じて表示画面３８０にノイズの有無を表示する。このとき、医療従事者がノイズの有無に気づくように、廊下灯用制御部３１は、ノイズが有る場合に表示ランプ３８１を点灯または点滅させる。
【００２６】
また、表示画面３８０は、タッチパネル式表示ディスプレイなどにより構成されている。タッチパネル表面に指が触れる（タッチされる）と、図示しないタッチパネル制御部は、センサで読み取った指の位置から座標を取得する。そして、タッチパネル制御部は、取得した座標に対応する操作内容を示す制御信号を廊下灯用制御部３１へ送信する。廊下灯用制御部３１は、受信した制御信号に応じた操作内容を廊下灯３０の各構成要素に実行させる。また、表示ランプ３８１は、発光ダイオード（Ｌｉｇｈｔ  Ｅｍｉｔｔｉｎｇ  Ｄｉｏｄｅ、以下、ＬＥＤとする）などにより構成されている。
【００２７】
廊下灯３０の動作モードが通常モードとなっている状態において、患者により呼び出しの操作が行われた場合、廊下灯用受信部３３は、ナースコール子機１０から送信された呼出信号を通信線５０を介して受信している。そして、廊下灯用送信部３４は、廊下灯用受信部３３にて受信した呼出信号をナースコール親機４０へ送信している。また、ナースコール子機１０とナースコール親機４０との間で通話路が形成されている場合、廊下灯用受信部３３は、ナースコール子機１０から送信された通話信号を通信線５０を介して受信している。そして、廊下灯用送信部３４は、廊下灯用受信部３３にて受信した通話信号をナースコール親機４０へ送信している。
【００２８】
また、廊下灯３０の動作モードが通常モードとなっている状態において、医療従事者により呼び出しの操作が行われた場合、廊下灯用受信部３３は、ナースコール親機４０から送信された呼出信号を受信している。そして、廊下灯用送信部３４は、廊下灯用受信部３３にて受信した呼出信号を通信線５０を介してナースコール子機１０へ送信している。また、ナースコール親機４０とナースコール子機１０との間で通話路が形成されている場合、廊下灯用受信部３３は、ナースコール親機４０から送信された通話信号を受信している。そして、廊下灯用送信部３４は、廊下灯用受信部３３にて受信した通話信号を通信線５０を介してナースコール子機１０へ送信している。
【００２９】
このように、第一の通信信号および第三の通信信号が通信線５０に伝送可能となっている状態で、点検開始操作部３５が操作されたと廊下灯用制御部３１にて判断した場合には、廊下灯用制御部３１は、通常モードから点検モードへ廊下灯３０の動作モードを切り替える。それに併せて、廊下灯用制御部３１は、通信線５０の点検を開始することを示す点検開始信号を生成する。そして、廊下灯用送信部３４は、廊下灯用制御部３１にて生成した点検開始信号を通信線５０を介してナースコール子機１０へ送信する。また、廊下灯用送信部３４は、廊下灯用制御部３１にて生成した点検開始信号をナースコール親機４０へ送信する。
【００３０】
一方、廊下灯３０の動作モードが点検モードとなっていて、第一の通信信号および第三の通信信号が通信線５０に出力されてない状態において、点検終了操作部３７が操作されたと廊下灯用制御部３１にて判断した場合には、廊下灯用制御部３１は、点検モードから通常モードに廊下灯３０の動作モードを切り替える。それに併せて、廊下灯用制御部３１は、通信線５０の点検を終了したことを示す点検終了信号を生成する。そして、廊下灯用送信部３４は、廊下灯用制御部３１にて生成した点検終了信号を通信線５０を介してナースコール子機１０へ送信する。また、廊下灯用送信部３４は、廊下灯用制御部３１にて生成した点検終了信号をナースコール親機４０へ送信する。
【００３１】
親機用制御部４１は、ナースコール親機４０の各構成要素を後述するように制御する。親機用Ｉ／Ｆ部４２は、ナースコール親機４０が廊下灯３０との間で通信するために、廊下灯用Ｉ／Ｆ部３２に接続されている。親機用受信部４３は、ナースコール子機１０から通信線５０および廊下灯３０を介して送信された第一の通信信号を受信するとともに、廊下灯３０から送信された点検開始信号および点検終了信号を受信する。
【００３２】
親機用呼出信号生成部４４は、医療従事者が図示しない親機用呼出操作部を操作した場合に、患者を呼び出すための呼出信号を生成するものである。具体的には、医療従事者は、呼び出したい患者を選択した後に親機用呼出操作部を操作する。すると、親機用呼出信号生成部４４は、その患者に対応するナースコール子機１０を特定し、そのナースコール子機１０を呼び出すための呼出信号を生成する。この呼出信号がナースコール子機１０に送信された後に、親機用制御部４１は、ナースコール親機４０とナースコール子機１０との間で通話路を形成する。
【００３３】
親機用通話信号生成部４５は、ナースコール親機４０とナースコール子機１０との間で通話路が形成された場合に、医療従事者が患者と通話するための通話信号を生成する。ここで、親機用通話信号生成部４５は、図示しないマイクなどにより入力された音声を変換することにより通話信号を生成している。これにより、マイクから入力された医療従事者の声は、親機用通話信号生成部４５により通話信号に変換される。
【００３４】
一方、ナースコール親機４０がナースコール子機１０から呼出信号を受信した場合には、親機用制御部４１は、図示しないスピーカから呼び出し報知音を出力する。この報知音を聞いた医療従事者は、図示しないハンドセットをオフフックするなどして、呼び出しに応答する操作を行う。ハンドセットがオフフックされると、親機用制御部４１は、ナースコール親機４０とナースコール子機１０との間で通話路を形成する。そして、ナースコール親機４０とナースコール子機１０との間で通話路が形成されると、親機用制御部４１は、受信した通話信号に基づく音声をスピーカから出力する。
【００３５】
親機用送信部４６は、親機用呼出信号生成部４４にて生成した呼出信号または親機用通話信号生成部４５にて生成した通話信号（すなわち、第三の通信信号）を廊下灯３０および通信線５０を介してナースコール子機１０へ送信する。
【００３６】
親機用判定部４７は、廊下灯３０から送信された点検開始信号を親機用受信部４３が受信したか否かを判定するとともに、廊下灯３０から送信された点検終了信号を親機用受信部４３が受信したか否かを判定するものである。
【００３７】
ナースコール親機４０の動作モードが通常モードとなっている状態において、医療従事者により呼び出しの操作が行われた場合、親機用送信部４６は、親機用呼出信号生成部４４にて生成した呼出信号を廊下灯３０および通信線５０を介してナースコール子機１０へ送信している。また、ナースコール親機４０とナースコール子機１０との間で通話路が形成されている場合、親機用送信部４６は、親機用通話信号生成部４５にて生成した通話信号を廊下灯３０および通信線５０を介してナースコール子機１０へ送信している。このように、第三の通信信号が通信線５０に伝送可能となっている状態で、点検開始操作部３５が操作されて廊下灯３０から送信された点検開始信号を親機用受信部４３が受信したと親機用判定部４７にて判断した場合には、親機用制御部４１は、通常モードから点検モードにナースコール親機４０の動作モードを切り替える。それに併せて、親機用制御部４１は、親機用呼出信号生成部４４および親機用通話信号生成部４５の動作を停止して、第三の通信信号が外部に送信されないようにする。これにより、第三の通信信号は、通信線５０に出力されなくなる。
【００３８】
なお、ナースコール親機４０の動作モードが通常モードとなっている状態で、点検終了操作部３７が操作されて廊下灯３０から送信された点検終了信号を親機用受信部４３が受信したと親機用判定部４７にて判断した場合には、親機用制御部４１は、ナースコール親機４０の動作モードを通常モードのままとする。
【００３９】
一方、ナースコール親機４０の動作モードが点検モードとなっていて、第三の通信信号が通信線５０に出力されてない状態において、点検終了操作部３７が操作されて廊下灯３０から送信された点検終了信号を親機用受信部４３が受信したと親機用判定部４７にて判断した場合には、親機用制御部４１は、点検モードから通常モードにナースコール親機４０の動作モードを切り替える。それに併せて、親機用制御部４１は、親機用呼出信号生成部４４および親機用通話信号生成部４５の動作の停止を解除して、第三の通信信号が外部に送信されるようにする。これにより、第三の通信信号は、通信線５０に出力されるようになる。
【００４０】
なお、ナースコール親機４０の動作モードが点検モードとなっている状態で、点検開始操作部３５が操作されて廊下灯３０から送信された点検開始信号を親機用受信部４３が受信したと親機用判定部４７にて判断した場合には、親機用制御部４１は、ナースコール親機４０の動作モードを点検モードのままとする。
【００４１】
次に、本実施形態によるナースコールシステムの動作を図２とともに説明する。図２は、本実施形態によるナースコールシステムの廊下灯３０の表示部の例を示す図である。動作モードが通常モードとなっているナースコールシステムにおいて、廊下灯用制御部３１は、廊下灯３０が設置されている病室のベッドの配置に合わせて表示画面３８０を区切り、区切った表示領域に患者の氏名および患者が使用しているナースコール子機１０の子機番号をそれぞれ表示する。また、区切った表示領域には、点検開始操作部３５がそれぞれ表示されている。また、表示画面３８０がタッチパネル式ディスプレイにより構成されているので、点検開始操作部３５の表示領域がタッチされると、廊下灯用制御部３１は、タッチされた位置の座標に対応する点検開始操作部３５の動作を実施する。
【００４２】
動作モードが通常モードとなっている状態で、廊下灯３０が設置されている病室の患者が呼び出しの操作を行うと、子機用呼出信号生成部１２は呼出信号を生成する。子機用送信部１４は、子機用呼出信号生成部１２により生成された呼出信号を子機用Ｉ／Ｆ部１６を介して送信する。廊下灯用受信部３３は、廊下灯用Ｉ／Ｆ部３２を介して呼出信号を受信する。廊下灯用制御部３１は、表示ランプ３８１を点灯または点滅させることにより呼び出しを報知する。一方、廊下灯用送信部３４は、受信した呼出信号を廊下灯用Ｉ／Ｆ部３２を介してナースコール親機４０に送信する。
【００４３】
親機用受信部４３は、親機用Ｉ／Ｆ部４２を介して呼出信号を受信する。親機用制御部４１は、図示しないスピーカにより呼び出し報知音を出力する。この状態で、ナースコール親機４０に設けられたハンドセット（図示せず）などがオフフックされると、親機用制御部４１は、ナースコール親機４０とナースコール子機１０との間で通話路を形成する。通話路が形成されると、子機用通話信号生成部１３により生成された通話信号が呼出信号と同様にナースコール親機４０へ送信される。ここで、親機用制御部４１は、親機用受信部４３により受信した通話信号に基づく音声をハンドセットなどから出力する。一方、親機用通話信号生成部４５により生成された通話信号（ハンドセットにより入力された医療従事者の声など）がナースコール親機４０からナースコール子機１０へ送信される。
【００４４】
ナースコール親機４０からナースコール子機１０を呼び出す場合には、上述した動作と逆の動作を行えば良いが、特定の患者を呼び出すときには、医療従事者は、呼び出す患者をナースコール親機４０で選択する必要がある。また、廊下灯３０により呼び出しを報知する必要は無い。
【００４５】
このように、ナースコール子機１０からナースコール親機４０を呼び出した場合、または、ナースコール親機４０からナースコール子機１０を呼び出した場合には、第一の通信信号がナースコール子機１０からナースコール親機４０に通信線５０および廊下灯３０を介して送信され、第三の通信信号がナースコール親機４０からナースコール子機１０に廊下灯３０および通信線５０を介して送信される。
【００４６】
上述したように、動作モードが通常モードになっている状態において、廊下灯用制御部３１は、ナースコールシステムの管理者などにより点検開始操作部３５が操作されたか否かを判定する。点検開始操作部３５が操作されたと廊下灯用制御部３１にて判断した場合には、廊下灯用制御部３１は、通常モードから点検モードに廊下灯３０の動作モードを切り替える。それに併せて、廊下灯用制御部３１は、点検開始信号を生成する。そして、廊下灯用送信部３４は、点検開始操作部３５が操作された表示領域に該当する子機番号のナースコール子機１０に対して、廊下灯用制御部３１にて生成された点検開始信号を廊下灯用Ｉ／Ｆ部３２を介して送信する。また、廊下灯用送信部３４は、廊下灯用制御部３１にて生成された点検開始信号を廊下灯用Ｉ／Ｆ部３２を介してナースコール親機４０に送信する。
【００４７】
また、動作モードが通常モードとなっている状態において、ナースコール子機１０の子機用判定部１７は、子機用受信部１５が点検開始信号を受信したか否かを判定している。子機用受信部１５が点検開始信号を受信したと子機用判定部１７にて判断した場合には、子機用制御部１１は、通常モードから点検モードへナースコール子機１０の動作モードを切り替える。また、ナースコール親機４０の親機用判定部４７は、親機用受信部４３が点検開始信号を受信したか否かを判定している。親機用受信部４３が点検開始信号を受信したと親機用判定部４７にて判断した場合には、親機用制御部４１は、通常モードから点検モードへナースコール親機４０の動作モードを切り替える。
【００４８】
動作モードが切り替えられて点検モードとなっている状態で、子機用制御部１１は、子機用呼出信号生成部１２の動作を停止することにより、子機用呼出信号生成部１２が呼出信号を生成できないようにする。また、子機用制御部１１は、子機用通話信号生成部１３の動作を停止することにより、子機用通話信号生成部１３が通話信号を生成できないようにする。これにより、第一の通信信号が通信線５０に出力されなくなる。
【００４９】
また、動作モードが点検モードとなっている状態で、親機用制御部４１は、親機用呼出信号生成部４４の動作を停止することにより、親機用呼出信号生成部４４が呼出信号を生成できないようにする。また、親機用制御部４１は、親機用通話信号生成部４５の動作を停止することにより、親機用通話信号生成部４５が通話信号を生成できないようにする。これにより、第三の通信信号が廊下灯３０を介して通信線５０に出力されなくなる。
【００５０】
また、動作モードが点検モードとなっている状態で、廊下灯用制御部３１は、検知部３６を動作させる。ナースコール子機１０からの第一の通信信号およびナースコール親機４０からの第三の通信信号が通信線５０に伝送されていない状態で、検知部３６は、廊下灯用受信部３３が通信線５０から受信する第二の通信信号であるパルスを検知する。廊下灯用制御部３１は、検知部３６が第二の通信信号であるパルスを検知したか否かを示す検知結果情報からノイズの有無を判定する。ここで、廊下灯用制御部３１は、検知部３６が第二の通信信号であるパルスを検知した場合にノイズが有ると判断する。
【００５１】
ノイズが有ると廊下灯用制御部３１にて判断した場合、図２（ｂ）に示すように、廊下灯用制御部３１は、点検中のナースコール子機１０の子機番号とともにノイズが有ることを表示画面３８０に表示する。具体的には、廊下灯用制御部３１は、「通信線点検中、子機番号：２０１０１、ノイズ有り」の文字を表示画面３８０に表示する。これに併せて、廊下灯用制御部３１は、表示ランプ３８１を点灯または点滅させる。ここで、廊下灯用制御部３１は、ナースコール子機１０により呼び出しが行われた場合に表示ランプ３８１を点灯または点滅させるパターンと、通信線５０にノイズが有る場合に表示ランプ３８１を点灯または点滅させるパターンとを異ならせることが好ましい。また、廊下灯用制御部３１は、点検終了操作部３７を表示画面３８０に表示する。また、前述したように表示画面３８０がタッチパネル式ディスプレイにより構成されているので、点検終了操作部３７の表示領域がタッチされると、廊下灯用制御部３１は、タッチされた位置の座標に対応する点検終了操作部３７の動作を実施する。
【００５２】
動作モードが点検モードとなっている状態において、廊下灯用制御部３１は、ナースコールシステムの管理者などにより点検終了操作部３７が操作されたか否かを判定する。点検終了操作部３７が操作されたと廊下灯用制御部３１にて判断した場合には、廊下灯用制御部３１は、点検モードから通常モードに廊下灯３０の動作モードを切り替える。それに併せて、廊下灯用制御部３１は、点検終了信号を生成する。そして、廊下灯用送信部３４は、点検を行っていたナースコール子機１０に対して、廊下灯用制御部３１にて生成された点検終了信号を廊下灯用Ｉ／Ｆ部３２を介して送信する。また、廊下灯用送信部３４は、廊下灯用制御部３１にて生成された点検終了信号を廊下灯用Ｉ／Ｆ部３２を介してナースコール親機４０に送信する。ここで、廊下灯用制御部３１は、表示画面３８０および表示ランプ３８１を元の状態（図２（ａ）の状態）に戻す。
【００５３】
一方、動作モードが点検モードとなっている状態において、ナースコール子機１０の子機用判定部１７は、子機用受信部１５が点検終了信号を受信したか否かを判定している。子機用受信部１５が点検終了信号を受信したと子機用判定部１７にて判断した場合には、子機用制御部１１は、点検モードから通常モードへナースコール子機１０の動作モードを切り替える。そして、子機用制御部１１は、子機用呼出信号生成部１２の動作の停止を解除することにより、子機用呼出信号生成部１２が呼出信号を生成できるようにする。また、子機用制御部１１は、子機用通話信号生成部１３の動作の停止を解除することにより、子機用通話信号生成部１３が通話信号を生成できるようにする。これにより、第一の通信信号が通信線５０に出力されるようになる。
【００５４】
また、ナースコール親機４０の親機用判定部４７は、親機用受信部４３が点検終了信号を受信したか否かを判定している。親機用受信部４３が点検終了信号を受信したと親機用判定部４７にて判断した場合には、親機用制御部４１は、点検モードから通常モードへナースコール親機４０の動作モードを切り替える。親機用制御部４１は、親機用呼出信号生成部４４の動作の停止を解除することにより、親機用呼出信号生成部４４が呼出信号を生成できるようにする。また、親機用制御部４１は、親機用通話信号生成部４５の動作の停止を解除することにより、親機用通話信号生成部４５が通話信号を生成できるようにする。これにより、第三の通信信号が廊下灯３０を介して通信線５０に出力されるようになる。
【００５５】
以上詳しく説明したように、本実施形態のナースコールシステムは、点検モードにおいてナースコール子機１０を制御する子機用制御部１１は、第一の通信信号が通信線５０に出力されないようにしている。また、ナースコール親機４０を制御する親機用制御部４１は、第三の通信信号が通信線５０に出力されないようにしている。このときに、検知部３６は、廊下灯用受信部３３が通信線５０を介して受信した第二の通信信号であるパルスを検知している。検知部３６が第二の通信信号であるパルスを検知した場合に、廊下灯用制御部３１は、通信線５０にノイズが伝わっていると判断している。これにより、第一の通信信号および第三の通信信号が通信線５０に出力されていない状態で、通信線５０を介して受信した第二の通信信号を検知した場合に、その信号がノイズと見なされる。これにより、通信線５０を介して受信できないような信号は、通信線５０に影響を与えないものと判定され、通信線５０を介して受信した第二の通信信号は、通信線５０に影響を与えるものと判定される。従って、ナースコールシステムの管理者などは、ナースコール子機１０と廊下灯３０とを接続する通信線５０に伝わっているノイズパルスを正確に把握することができる。ノイズパルスが通信線５０に伝わっているとナースコールシステムの管理者などが把握した場合、通信線５０の近くに配線されている電源線を通信線５０に影響を与えない位置に移動させたり、電源線から影響を与えない位置に通信線５０を移動させたりすることで、ノイズパルスが通信線５０に伝わらないようにすることができる。よって、廊下灯３０とナースコール子機１０との間に通信障害が発生し難くすることができる。また、廊下灯３０とナースコール子機１０との間に生じた通信障害の要因を容易に発見することができる。
【００５６】
なお、前述した実施形態では、ナースコール子機１０が点検開始信号を受信すると、子機用制御部１１は、第一の通信信号の生成処理を停止して、第一の通信信号が通信線５０に送信されないようにしているが、これに限定されない。例えば、ナースコール子機１０が点検開始信号を受信すると、子機用制御部１１は、子機用送信部１４を制御して第一の通信信号の送信処理を停止するようにしても良い。また、子機用制御部１１は、第一の通信信号の生成処理と第一の通信信号の送信処理との両方を停止するようにしても良い。
【００５７】
また、前述した実施形態では、ナースコール親機４０が点検開始信号を受信すると、親機用制御部４１は、第三の通信信号の生成処理を停止して、第三の通信信号が通信線５０に送信されないようにしているが、これに限定されない。例えば、ナースコール親機４０が点検開始信号を受信すると、親機用制御部４１は、親機用送信部４６を制御して第三の通信信号の送信処理を停止するようにしても良い。また、親機用制御部４１は、第三の通信信号の生成処理と第三の通信信号の送信処理との両方を停止するようにしても良い。
【００５８】
また、本変形例では、ナースコール親機４０が点検開始信号を受信すると、親機用制御部４１は、第三の通信信号の生成処理を停止して、第三の通信信号が通信線５０に送信されないようにしているが、これに限定されない。例えば、廊下灯３０が点検開始信号を送信すると、廊下灯用制御部３１は、廊下灯用送信部３４を制御して第三の通信信号の送信処理を停止するようにしても良い。
【００５９】
また、前述した実施形態では、動作モードが点検モードになっているとき、廊下灯用制御部３１は、１つの通信線５０の点検結果を表示画面３８０に表示するようにしているが、これに限定されない。例えば、廊下灯用制御部３１は、廊下灯３０に接続されているすべての通信線５０の点検結果を表示画面３８０に同時に表示するようにしても良い。
【００６０】
また、前述した実施形態では、表示画面３８０は、表示画面３８０を患者毎に区切った領域に点検開始操作部３５をそれぞれ設けているが、これに限定されない。例えば、表示画面３８０は、表示画面３８０に１つだけ点検開始操作部３５を設けるようにしても良い。これにより、点検開始操作部５０が操作された廊下灯３０に接続されているすべての通信線５０を同時に点検することができる。
【００６１】
また、前述した実施形態では、廊下灯３０が点検開始操作部３５、検知部３６、点検終了操作部３７、表示部３８を設けているが、これに限定されない。例えば、ナースコール親機４０が点検開始操作部、検知部、点検終了操作部、表示部を設けるようにしても良い。
【００６２】
また、前述した実施形態では、廊下灯用制御部３１は、検知部３６が検知したパルスの数に関係なく、ノイズが有る場合に表示ランプ３８１を点灯または点滅させるようにしているが、これに限定されない。例えば、廊下灯用制御部３１は、検知部３６が検知したパルスの数毎に表示ランプ３８１を点灯または点滅させるパターンを変更するようにしても良い。具体的には、ナースコールシステムの管理者などは、図示しない廊下灯用設定部によってパルスの数の範囲と表示ランプ３８１を点灯または点滅させるパターンとを予め設定しておく。検知部３６は、検知したパルスの数をカウントし、カウントしたパルスの数を検知結果情報として廊下灯用制御部３１へ出力する。そして、廊下灯用制御部３１は、検知結果情報が示すパルスの数に対応する範囲に設定されているパターンを廊下灯用設定部から取得し、取得したパターンに基づいて表示ランプ３８１を点灯または点滅させるようにしている。ここで、表示ランプ３８１を点灯または点滅させるパターンとは、表示ランプ３８１の明るさや色、点滅の間隔などである。
【００６３】
また、前述した実施形態では、動作モードが点検モードになっている場合、子機用制御部１１は、呼出操作を無効としているが、これに限定されない。例えば、患者の容体が急変した場合など、医療従事者がナースコール子機１０を使用して、他の医療従事者を呼び出すための緊急呼出が行われたとき、子機用制御部１１は呼出操作を有効とするようにしても良い。これにより、通信線５０が点検中であっても、医療従事者は、緊急呼出を行うことができる。
【００６４】
また、前述した実施形態では、廊下灯用制御部３１は、検知部３６が出力した検知結果情報に対応するパルスの有無を表示画面３８０に表示するようにしているが、これに限定されない。例えば、廊下灯用制御部３１は、検知部３６が検知したパルスの波形図を表示画面３８０’に表示するようにしても良い。具体的には、図３に示すように、廊下灯用制御部３１は、例えば「通信線点検中、子機番号：２０１０１、ノイズ有り」の文字と検知部３６が検知したパルスの波形図とを表示画面３８０’に表示する。また、パルスの波形図が示している波形の大きさにより、ナースコールシステムの管理者などは、ノイズが通信線５０に与える影響度を確認することができる。
【００６５】
また、本変形例では、廊下灯用制御部３１は、１件の波形図を表示画面３８０’に表示しているが、もちろん廊下灯３０に接続されているナースコール子機１０それぞれに対応する波形図を複数同時に表示画面３８０’に表示するようにしても良い。
【図面の簡単な説明】
【００６６】
【図１】本実施形態のナースコールシステムのブロック図である。
【図２】本実施形態によるナースコールシステムの廊下灯の表示部の例を示す説明図である。
【図３】表示画面の変形例を示す説明図である。
【符号の説明】
【００６７】
１０      ナースコール子機
１１      子機用制御部
１２      子機用呼出信号生成部
１３      子機用通話信号生成部
１４      子機用送信部
１５      子機用受信部
１６      子機用インタフェース（Ｉ／Ｆ）部
１７      子機用判定部
２０      外部装置
３０      廊下灯
３１      廊下灯用制御部
３２      廊下灯用インタフェース（Ｉ／Ｆ）部
３３      廊下灯用受信部
３４      廊下灯用送信部
３５      点検開始操作部
３６      検知部
３７      点検終了操作部
３８      表示部
４０      ナースコール親機
４１      親機用制御部
４２      親機用インタフェース（Ｉ／Ｆ）部
４３      親機用受信部
４４      親機用呼出信号生成部
４５      親機用通話信号生成部
４６      親機用送信部
４７      親機用判定部
５０      通信線
３８０    表示画面
３８１    表示ランプ
３８０’  表示画面
【図１】
2009088725.tif 000003
【図２】
2009088725.tif 000004
【図３】
2009088725.tif 000005